(57)【要約】【課題】左側のテンプルと右側のテンプルとの間の信号又は電源の供給のためのリード線をなくすことで複雑な配線を不要にし、また、多様なデザインでの展開を可能にしたメガネ型音響デバイスを提供することを課題とする。【解決手段】左右のテンプル１，２のそれぞれに電子回路５，６と音響デバイス７，８とが組み込まれ、左側のモダン３に左側のテンプルの電子回路５を駆動する電池９が内蔵されると共に、右側のモダン４に右側のテンプルの電子回路６を駆動する電池が内蔵されて成る。【選択図】図１
2019163289.tif 000002
【特許請求の範囲】
【請求項１】
左右のテンプルのそれぞれに電子回路と音響デバイスとが組み込まれ、左側のモダンに左側の前記テンプルの電子回路を駆動する電池が内蔵されると共に、右側のモダンに右側の前記テンプルの電子回路を駆動する電池が内蔵されて成るメガネ型音響デバイス。
【請求項２】
前記左側のテンプルと前記左側のモダン、並びに、前記右側のテンプルと前記右側のモダンはそれぞれ独立したものとして構成され、互いに連結分離可能、且つ、電気的に接離可能である、請求項１に記載のメガネ型音響デバイス。
【請求項３】
前記左右のテンプルは、それぞれフレームに対して脱着可能である、請求項１又は２に記載のメガネ型音響デバイス。
【請求項４】
前記音響デバイスは骨伝導スピーカユニットである、請求項１乃至３のいずれかに記載のメガネ型音響デバイス。
【請求項５】
前記左右のモダンは、前記テンプルとの接続部付近に可撓性のある可撓部を有する、請求項１乃至４のいずれかに記載のメガネ型音響デバイス。
【請求項６】
前記左右のテンプルのうちの一方のテンプルの前記電子回路に、外部機器からのブルートゥース（登録商標）信号を受信する回路及びその受信信号から他チャンネルに送るための信号を分離して送り出す無線送信回路を備えたメイン基板が組み込まれ、他方のテンプルの前記電子回路に、前記メイン基板から送られてくる信号の受信増幅手段が組み込まれる、請求項１乃至５のいずれかに記載のメガネ型音響デバイス。
【請求項７】
前記左右のテンプルの前記電子回路は互いに独立した補聴器用回路とされ、それぞれ使用者の聴力に合わせて設定可能である、請求項１乃至５のいずれかに記載のメガネ型音響デバイス。
【発明の詳細な説明】
【技術分野】
【０００１】
本発明は、メガネ型音響デバイスに関するものであり、より詳細には、メガネ形状を呈していて、ステレオヘッドホン、補聴器、その他種々の態様の音響デバイスとして利用し得るメガネ型音響デバイスに関するものである。
【背景技術】
【０００２】
電子回路を持つメガネ形状の音響デバイスにおいては、テンプルの一方に電源部、他方に回路部、左右にスピーカが配置される構造が一般的である。そして、左右の信号又は電源を供給するためのリード線は、フレーム経由で繋ぐ構成の物がほとんどである（例えば、特開２０１５−２０２１９６号公報、特開２００８−２２７８０６号公報）。そのため、配線が複雑になり、また、メガネのデザインは一品一様となり、多様なデザインでの展開が難しくなっている。
【先行技術文献】
【特許文献】
【０００３】
【特許文献１】特開２０１５−２０２１９６号公報
【特許文献２】特開２００８−２２７８０６号公報
【発明の概要】
【発明が解決しようとする課題】
【０００４】
上述したように、電子回路を持つメガネ形状の音響デバイスの場合は、左側のテンプルと右側のテンプルとの間の信号又は電源の供給のためのリード線がフレーム経由で繋ぐ構成であるために配線が複雑になり、また、メガネのデザインは一品一様となり、多様なデザインでの展開が難しいという問題があった。【０００５】
そこで本発明は、左側のテンプルと右側のテンプルとの間の信号又は電源の供給のためのリード線をなくすことで複雑な配線を不要にし、また、多様なデザインでの展開を可能にしたメガネ型音響デバイスを提供することを課題とする。
【課題を解決するための手段】
【０００６】
上記課題を解決するための請求項１に係る発明は、左右のテンプルのそれぞれに電子回路と音響デバイスとが組み込まれ、左側のモダンに左側の前記テンプルの電子回路を駆動する電池が内蔵されると共に、右側のモダンに右側の前記テンプルの電子回路を駆動する電池が内蔵されて成るメガネ型音響デバイスである。【０００７】
一実施形態においては、前記左側のテンプルと前記左側のモダン、並びに、前記右側のテンプルと前記右側のモダンはそれぞれ独立したものとして構成され、互いに連結分離可能、且つ、電気的に接離可能である。【０００８】
一実施形態においては、前記左右のテンプルは、それぞれフレームに対して脱着可能にされる。【０００９】
一実施形態においては、前記音響デバイスは骨伝導スピーカユニットである。また、前記左右のモダンは、前記テンプルとの接続部付近に可撓性のある可撓部を有するものとされる。【００１０】
一実施形態においては、前記左右のテンプルのうちの一方のテンプルの前記電子回路に、外部機器からのブルートゥース（登録商標）信号を受信する回路及びその受信信号から他チャンネルに送るための信号を分離して送り出す無線送信回路を備えたメイン基板が組み込まれ、他方のテンプルの前記電子回路に、前記メイン基板から送られてくる信号の受信増幅手段が組み込まれる。【００１１】
一実施形態においては、前記左右のテンプルの前記電子回路は互いに独立した補聴器用回路とされ、それぞれ使用者の聴力に合わせて設定可能にされる。
【発明の効果】
【００１２】
上述したように本発明に係るメガネ型音響デバイスは、左右のテンプルのそれぞれに電子回路と音響デバイスとが組み込まれ、左側のモダンに左側のテンプルの電子回路を駆動する電池が内蔵され、右側のモダンに右側のテンプルの電子回路を駆動する電池が内蔵された構成であるので、左側のテンプルと右側のテンプルとの間の信号又は電源の供給のためのリード線が必要ないため、複雑な配線が不要という効果がある。【００１３】
また、左側のテンプルと左側のモダン、並びに、右側のテンプルと右側のモダンはそれぞれ独立した部品とされ、互いに連結分離が可能で、電気的に接離可能な構成とされ、更に、左右のテンプルがそれぞれフレームに対して脱着可能に構成されることにより、フレーム、テンプル並びにモダンの選択付け替えが可能となるので、多種多様なデザインでの展開が可能となる効果がある。
【図面の簡単な説明】
【００１４】
【図１】本発明に係るメガネ型音響デバイスの一実施形態の分解斜視図である。
【図２】本発明に係るメガネ型音響デバイスの一実施形態の概略構成図である。
【発明を実施するための形態】
【００１５】
本発明を実施するための形態について、添付図面に依拠して説明する。本発明は、メガネのテンプルに音響デバイスを組み込んだメガネ型音響デバイスであって、図１及び図２に示されるように、左右のテンプル１，２のそれぞれに電子回路５，６と音響デバイス７，８とが内蔵される。また、左側のモダン３に左側のテンプル１の電子回路５を駆動する電池９が内蔵されると共に、右側のモダン４に右側のテンプル２の電子回路６を駆動する電池１０が内蔵されて成る。
【００１６】
左側のテンプル１と左側のモダン３は独立した個別の部品、換言すれば、代替性のある部品であって、互いに連結分離が可能であり、且つ、電気的に接離可能な構成とされる。また同様に、右側のテンプル２と右側のモダン４も個別の部品であって、互いに連結分離が可能であり、且つ、電気的に接離可能な構成とされる。
【００１７】
各テンプル１，２と各モダン３，４を互いに連結分離可能且つ電気的に接離可能にするために、例えば、テンプル１，２の後端面に、電子回路５，６を駆動するための電源供給用コネクタ１１が配備され、テンプル１，２の後端面に対向するモダン３，４の前端面に、コネクタ１１に対応するコネクタ１２が配備される。そして、双方のコネクタ１１，１２が、対応する雄雌のコネクタ構造とされ、あるいは、ピンプラグ・ジャック構造とされることにより、テンプル１，２とモダン３，４とが接続分離可能となる。
【００１８】
また、左右のテンプル１，２は、それぞれフレーム１３に対して脱着可能な構成とされる。そして、フレーム１３として種々の形状、素材、色合いのものが用意され、また、サングラス用、度付きメガネ用等のフレーム１３が用意される。テンプル１，２は、それらすべてのフレーム１３に対して付け替え可能な仕様とされ、使用者が必要に応じて使い分けることができるようにされる。    
【００１９】
付け替え可能にするための構成としては、例えば、テンプル１，２の端部に突部１４を形成すると共に、フレーム１３の両端側部にその突部１４を挟持するヒンジ止め部１５を形成し、ヒンジ止め部１５から突部１４を通して止めネジを差し込む構成が簡便である。
【００２０】
モダン３，４の一部、即ち、コネクタ１２と電池収納部との間の部分に可撓性を有する可撓部１６が配備される。そのようにすることにより、モダン３，４を使用者の頭部形状にフィットさせやすくなり、着用時におけるメガネの保持というモダン３，４本来の機能を確保することが可能となる。
【００２１】
上記構成のメガネ型音響デバイスの場合は、左右のテンプル１，２がそれぞれ電源（電池９，１０）を持つことになるので、中央のフレーム１３を経由して電源を供給する必要がなく、左右の電子回路５，６については無線経由で繋ぐことができるので、フレーム１３と電子回路５，６及び音響デバイス７，８を組み込んだテンプル１，２とを、分離することが可能となる。
【００２２】
本発明に係るメガネ型音響デバイスは上記構成であるので、例えば、ステレオヘッドホンとして利用することが可能となる。その場合、一方のテンプル１の電子回路５に、外部機器からのブルートゥース（登録商標）信号を受信する回路と、受信信号から他チャンネルに送るための信号を分離して送り出す無線送信回路を組み込んだメイン基板が組み込まれ、対になるテンプル２の電子回路６に、メイン基板から送られてくる信号の受信・増幅手段が組み込まれる。
【００２３】
また、本発明に係るメガネ型音響デバイスは、補聴器として利用することもできる。その場合、テンプル１内に組み込まれる補聴器用電子回路５とテンプル２内に組み込まれる補聴器用電子回路６を、左右独立した補聴器用の回路構成とすることができるので、使用者の左右の聴力に合わせ、より細かく特性及び感度を設定調整することが可能となる。
【００２４】
本発明に係るメガネ型音響デバイスの特徴を列挙すると、以下のとおりとなる。
１）フレーム１３とテンプル１，２が独立しているので、デザインの自由度が高く、更に、付け替え用のモダン３，４、換言すれば、スペアの電池９，１０を持つことにより、充電時間のロスをなくすことができる。
２）各部の組み換えは、購入者が自由に行うことが可能であるので、種々の状況に応じての使い分けが可能となる。
３）ステレオヘッドホンや補聴器等としての利用が可能であり、補聴器とする場合は、特性及び感度を使用者の左右の聴力に合わせて設定調整することが可能となる。
４）電池収容部（モダン３，４）が本体から分離しているため、製品を廃棄するための処理が容易である。
【産業上の利用可能性】
【００２５】
本発明に係るメガネ型音響デバイスは、以上のように多くの特徴を有するものであり、その産業上の利用可能性は大である。
【図１】
2019163289.tif 000003
【図２】
2019163289.tif 000004
【国際調査報告】
2019163289.tif 000005
2019163289.tif 000006
2019163289.tif 000007
2019163289.tif 000008